(57)【特許請求の範囲】
【請求項１】
カスタマイズ情報を格納したＩＣカードの読み取り書き込みを行うＩＣカード読み書き手段と、前記ＩＣカードを挿入する複数の挿入手段と、複数の情報を登録した記憶手段と、前記記憶手段に登録された複数の情報から選択する入力手段と、前記ＩＣカード読み書き手段で読み取られたカスタマイズ情報及び前記入力手段で選択された情報に基づいて取引処理を行う制御手段とを備え、前記制御手段は、前記挿入手段の中の特定の挿入手段によって挿入されて前記ＩＣカード読み書き手段で読み取られたカスタマイズ情報を前記入力手段で選択された情報より優先するように判断し、かつ前記特定の挿入手段によって挿入されてＩＣカード読み書き手段で読み取られたカスタマイズ情報を受けて優先すると判断した場合にはこのカスタマイズ情報を前記記憶手段に登録された複数の情報と比較して合致するものがあれば前記入力手段での選択を待つことなく合致するものに対応する前記取引処理を行うように構成したことを特徴とする取引システム。
【請求項２】
カスタマイズ情報を格納したＩＣカードの読み取り書き込みを行うＩＣカード読み書き手段と、前記ＩＣカードを前記ＩＣカード読み書き手段に挿入する複数の挿入手段と、前記挿入手段にＩＣカードが挿入されたことを検出するカード検出手段と、複数の情報を登録した記憶手段と、前記記憶手段に登録された複数の情報から選択する入力手段と、前記ＩＣカード読み書き手段で読み取られたカスタマイズ情報及び前記入力手段で選択された情報に基づいて取引処理を行う制御手段とを備え、前記制御手段は、前記複数の挿入手段の中の特定の挿入手段により挿入されたＩＣカードを前記カード検出手段で検出してそのカスタマイズ情報を前記入力手段で選択された情報より優先するように判断し、かつ前記特定の挿入手段で挿入されたＩＣカードのカスタマイズ情報を受けて優先すると判断した場合にはこのカスタマイズ情報を前記記憶手段に登録された複数の情報と比較して合致するものがあれば前記入力手段での選択を待つことなく合致するものに対応する前記取引処理を行うように構成したことを特徴とする取引システム。
【請求項３】
カスタマイズ情報を格納したＩＣカードの読み取り書き込みを行うＩＣカード読み書き手段と、前記ＩＣカードを前記ＩＣカード読み書き手段に挿入する複数の挿入手段と、前記挿入手段にＩＣカードが挿入されたことを検出するカード検出手段と、複数の情報を登録した記憶手段と、前記記憶手段に登録された複数の情報から選択する入力手段と、前記ＩＣカード読み書き手段で読み取られたカスタマイズ情報及び前記入力手段で選択された情報に基づいて取引処理を行う制御手段とを備え、前記制御手段は、前記複数の挿入手段の中の特定の挿入手段により挿入されたＩＣカードを前記カード検出手段で検出してそのカスタマイズ情報を前記入力手段で選択された情報より優先するように判断し、かつ前記ＩＣカード読み書き手段で読み取られたカスタマイズ情報を前記入力手段で選択された情報より優先すると判断した場合にはこのカスタマイズ情報を前記記憶手段に登録された複数の情報と比較して合致するものがあれば前記入力手段での選択を待つことなく合致するものに対応する前記取引処理を行い、前記特定の挿入手段以外の挿入手段で挿入されたＩＣカードのカスタマイズ情報を受けた場合には前記入力手段で選択された情報に基づいて前記取引処理を行うように構成したことを特徴とする取引システム。
【請求項４】
カスタマイズ情報を格納したＩＣカードの読み取り書き込みを行う複数のＩＣカード読み書き手段と、複数の情報を登録した記憶手段と、前記記憶手段に登録された複数の情報から選択する入力手段と、前記ＩＣカード読み書き手段で読み取られたカスタマイズ情報及び前記入力手段で選択された情報に基づいて取引処理を行う制御手段とを備え、前記制御手段は、前記複数のＩＣカード読み書き手段の中の特定のＩＣカード読み書き手段で読み取られたカスタマイズ情報を前記入力手段で選択された情報より優先するように判断し、かつ前記特定のＩＣカード読み書き手段で読み取られたカスタマイズ情報を受けた場合にはこのカスタマイズ情報を前記記憶手段に登録された複数の情報と比較して合致するものがあれば前記入力手段での選択を待つことなく合致するものに対応する前記取引処理を行うように構成したことを特徴とする取引システム。
【請求項５】
カスタマイズ情報を格納したＩＣカードの読み取り書き込みを行う上下に配置された二つのＩＣカード読み書き手段と、前記ＩＣカードを前記ＩＣカードの読み書き手段の間に挿入する挿入口が一つの挿入手段と、複数の情報を登録した記憶手段と、前記記憶手段に登録された複数の情報から選択する入力手段と、前記ＩＣカード読み書き手段で読み取られたカスタマイズ情報及び前記入力手段で選択された情報に基づいて取引処理を行う制御手段とを備え、前記制御手段は、前記二つのＩＣカード読み書き手段の中の一方の特定されたＩＣカード読み書き手段で読み取られたカスタマイズ情報を前記入力手段で選択された情報より優先するように判断し、かつ前記特定されたＩＣカード読み書き手段で読み取られたカスタマイズ情報を受けた場合にはこのカスタマイズ情報を前記記憶手段に登録された複数の情報と比較して合致するものがあれば前記入力手段での選択を待つことなく合致するものに対応する前記取引処理を行うように構成したことを特徴とする取引システム。
【請求項６】
決済手段を含むカスタマイズ情報を格納したＩＣカードの読み取り書き込みを行う複数のＩＣカード読み書き手段と、取引に関する指示を入力する入力手段と、前記ＩＣカード読み書き手段で読み取られたカスタマイズ情報に基づいて取引処理を行う制御手段とを備え、前記制御手段は、前記複数のＩＣカード読み書き手段毎に対となる決済手段を認識し、前記ＩＣカードが前記ＩＣカード読み書き手段の一つによって読み取られた場合にはこのＩＣカード読み書き手段に対となった決済手段に合致するものに対応する前記取引処理を行うように構成したことを特徴とする取引システム。
【請求項７】
決済手段を含むカスタマイズ情報を格納したＩＣカードの読み取り書き込みを行うＩＣカード読み書き手段と、前記ＩＣカードを挿入する複数の挿入手段と、取引に関する指示を入力する入力手段と、前記ＩＣカード読み書き手段で読み取られたカスタマイズ情報に基づいて取引処理を行う制御手段とを備え、前記制御手段は、前記複数の挿入手段毎に対となる決済手段を認識し、前記ＩＣカードが前記挿入手段の一つによって挿入されて前記ＩＣカード読み書き手段で読み取られた場合にはこの挿入手段に対となった決済手段に合致するものに対応する前記取引処理を行うように構成したことを特徴とする取引システム。
【請求項８】
決済手段を含むカスタマイズ情報を格納したＩＣカードの読み取り書き込みを行う複数のＩＣカード読み書き手段と、このＩＣカード読み書き手段に対になって前記ＩＣカードを挿入する複数の挿入手段と、取引に関する指示を入力する入力手段と、商取引に関する指示を表示する表示手段と、前記ＩＣカード読み書き手段で読み取られたカスタマイズ情報に基づいて決済処理を行う制御手段とを備え、前記制御手段は、前記複数の挿入手段毎に対となる決済手段を認識し、前記ＩＣカードが前記挿入手段の一つによって挿入されて前記ＩＣカード読み書き手段で読み取られた場合にはこの挿入手段に対となった決済手段に合致する前記決済処理を行うように構成したことを特徴とするＰＯＳ端末。
【請求項９】
残高情報を含む複数の決済手段のカスタマイズ情報を格納したＩＣカードの読み取り書き込みを行う複数のＩＣカード読み書き手段と、このＩＣカード読み書き手段に対になって前記ＩＣカードを挿入する複数の挿入手段と、前記ＩＣカード読み書き手段で読み取られたＩＣカードの残高情報を表示する表示手段と、前記ＩＣカード読み書き手段で読み取られたカスタマイズ情報に基づいて残高表示処理を行う制御手段とを備え、前記制御手段は、前記複数の挿入手段毎に対となる決済手段を認識し、前記ＩＣカードが前記挿入手段の一つによって挿入されて前記ＩＣカード読み書き手段で読み取られた場合にはこの挿入手段に対となった決済手段の前記残高表示処理を行うように構成したことを特徴とする残高表示端末。
【発明の詳細な説明】
【０００１】
【発明の属する技術分野】
本発明は、電子取引システムとこれを用いる機器及びこれに用いるＩＣカードに係わり、特にカスタマイズ情報を格納したＩＣカードを利用して取引処理を行う電子取引システムとこれを用いる機器及びこれに用いるＩＣカードに関するものである。
【０００２】
【従来の技術】
従来のカード式自動販売機としては、特開平３−１８５５９３号公報に示されているように、カード挿入口にカードが挿入されると、カードリード／ライタによりカードに記憶されているデータの読み取りを行い、挿入されたカードが有効である場合にはそのカードに商品データが記憶されているか否かの判断を行い、カードに商品データが記憶されていた場合には商品データに対応する商品ボタンの照光ランプを点灯し、この状態でＯＫボタン、取消ボタンまたは返却レバーの操作を待機し、ＯＫボタンが操作されると、カードに記憶されている商品データの価格に応じた金額精算処理行い、次いで、商品放出口に商品データによって指定された商品を放出するようにしたものがある(従来技術１)。
【０００３】
また、従来のカード式自動販売機としては、特開平２−３９２９５号公報に記載されているように、販売商品データが記憶されたカードがカード投入口に投入されると、その商品データが金銭データと共にカードリードライターにより読み取られカード制御部に送られ、カード制御部が主制御部のコマンド信号に応答してまず金銭データを主制御部に送り、主制御部がこの金銭データに基づいて販売可否を判定し、共通ラインに販売飲料の選択信号を要求するコマンド信号を出力し、このコマンド信号に扉制御部が応答するが、押ボタンが押されないかぎり応答信号だけ返してデータ（選択信号）は送らず、このようにして扉制御部から一定時間応答信号だけしか返ってこないときには、主制御部が前記コマンド信号と異なるコマンド信号を出力し、この信号に対してはカード制御部が応答し、応答信号とともにカードに記憶されている販売商品データを主制御部へ送り、その結果、主制御部は販売データに基づいて商品の販売を実施するようにしたものがある（従来技術２）。
【０００４】
さらに、従来のＩＣカードを用いたＰＯＳ端末としては、決済手段として電子マネー、クレジット及びポイントサービスなどの複数の決裁手段が用いられ、ユーザーがＩＣカードを用いて決済する場合には、ＰＯＳ端末の選択ボタンを押して決済手段を選ぶようにしたものがある（従来技術３）。
【０００５】
【発明が解決しようとする課題】
しかし、従来技術１のものは、カードリード／ライタによりカードに記憶されているデータの読み取りを行った後に、商品データに対応する商品ボタンの照光ランプを点灯し、この状態でＯＫボタンの操作を待機し、ＯＫボタンが操作されないと、金額精算処理及び商品の放出を行わないものであるため、ＯＫボタンを必ず操作しなければならないと言う煩わしさがあり、販売処理を短時間で完了することができないものである。
【０００６】
また、従来技術２のものは、その商品データがカードリードライターにより読み取られた後に、一定時間経過しなければ商品が販売されないものであるため、商品が販売されてくるまでにこの一定時間だけ遅れを生じ、販売処理を短時間で完了することができないものである。
【０００７】
さらに、従来技術３のものは、ユーザーがＰＯＳ端末の複数の選択ボタンからユーザー用のＩＣカードに格納されてる決済手段に合致するものを選択しなければならないと言う煩わしさがあった。
【０００８】
本発明の第１の目的は、ＩＣカードに格納されたカスタマイズ情報に基づく取引処理と入力手段で選択された情報に基づく取引処理の何れか一方の処理を優先的に行うことができると共に、 ＩＣカードに格納されたカスタマイズ情報に基づく取引処理を入力手段の選択を待つことなく、簡単にかつ短時間に取引処理を完了させることができ、使い勝手が良好な電子取引システムとこれを用いる機器及びこれに用いるＩＣカードを提供することにある。
【０００９】
本発明の第２の目的は、ＩＣカードの読み取りと対になって決済手段を認識し、この認識した決済手段に合致する取引処理を行うようにしたことにより、簡単な操作で取引処理を行うことができ、使い勝手を良好な電子取引システムとこれを用いる機器及びこれに用いるＩＣカードを提供することにある。
【００１３】
【課題を解決するための手段】
本発明の第１の特徴は、カスタマイズ情報を格納したＩＣカードの読み取り書き込みを行うＩＣカード読み書き手段と、前記ＩＣカードを挿入する複数の挿入手段と、複数の情報を登録した記憶手段と、前記記憶手段に登録された複数の情報から選択する入力手段と、前記ＩＣカード読み書き手段で読み取られたカスタマイズ情報及び前記入力手段で選択された情報に基づいて取引処理を行う制御手段とを備え、前記制御手段は、前記挿入手段の中の特定の挿入手段によって挿入されて前記ＩＣカード読み書き手段で読み取られたカスタマイズ情報を前記入力手段で選択された情報より優先するように判断し、かつ前記特定の挿入手段によって挿入されてＩＣカード読み書き手段で読み取られたカスタマイズ情報を受けて優先すると判断した場合にはこのカスタマイズ情報を前記記憶手段に登録された複数の情報と比較して合致するものがあれば前記入力手段での選択を待つことなく合致するものに対応する前記取引処理を行うように構成にしたことにある。
【００１４】
本発明の第２の特徴は、カスタマイズ情報を格納したＩＣカードの読み取り書き込みを行うＩＣカード読み書き手段と、前記ＩＣカードを前記ＩＣカード読み書き手段に挿入する複数の挿入手段と、前記挿入手段にＩＣカードが挿入されたことを検出するカード検出手段と、複数の情報を登録した記憶手段と、前記記憶手段に登録された複数の情報から選択する入力手段と、前記ＩＣカード読み書き手段で読み取られたカスタマイズ情報及び前記入力手段で選択された情報に基づいて取引処理を行う制御手段とを備え、前記制御手段は、前記複数の挿入手段の中の特定の挿入手段により挿入されたＩＣカードを前記カード検出手段で検出してそのカスタマイズ情報を前記入力手段で選択された情報より優先するように判断し、かつ前記特定の挿入手段で挿入されたＩＣカードのカスタマイズ情報を受けて優先すると判断した場合にはこのカスタマイズ情報を前記記憶手段に登録された複数の情報と比較して合致するものがあれば前記入力手段での選択を待つことなく合致するものに対応する前記取引処理を行うように構成にしたことにある。
【００１５】
本発明の第３の特徴は、カスタマイズ情報を格納したＩＣカードの読み取り書き込みを行うＩＣカード読み書き手段と、前記ＩＣカードを前記ＩＣカード読み書き手段に挿入する複数の挿入手段と、前記挿入手段にＩＣカードが挿入されたことを検出するカード検出手段と、複数の情報を登録した記憶手段と、前記記憶手段に登録された複数の情報から選択する入力手段と、前記ＩＣカード読み書き手段で読み取られたカスタマイズ情報及び前記入力手段で選択された情報に基づいて取引処理を行う制御手段とを備え、前記制御手段は、前記複数の挿入手段の中の特定の挿入手段により挿入されたＩＣカードを前記カード検出手段で検出してそのカスタマイズ情報を前記入力手段で選択された情報より優先するように判断し、かつ前記ＩＣカード読み書き手段で読み取られたカスタマイズ情報を前記入力手段で選択された情報より優先すると判断した場合にはこのカスタマイズ情報を前記記憶手段に登録された複数の情報と比較して合致するものがあれば前記入力手段での選択を待つことなく合致するものに対応する前記取引処理を行い、前記特定の挿入手段以外の挿入手段で挿入されたＩＣカードのカスタマイズ情報を受けた場合には前記入力手段で選択された情報に基づいて前記取引処理を行うように構成にしたことにある。
【００１６】
本発明の第４の特徴は、カスタマイズ情報を格納したＩＣカードの読み取り書き込みを行う複数のＩＣカード読み書き手段と、複数の情報を登録した記憶手段と、前記記憶手段に登録された複数の情報から選択する入力手段と、前記ＩＣカード読み書き手段で読み取られたカスタマイズ情報及び前記入力手段で選択された情報に基づいて取引処理を行う制御手段とを備え、前記制御手段は、前記複数のＩＣカード読み書き手段の中の特定のＩＣカード読み書き手段で読み取られたカスタマイズ情報を前記入力手段で選択された情報より優先するように判断し、かつ前記特定のＩＣカード読み書き手段で読み取られたカスタマイズ情報を受けた場合にはこのカスタマイズ情報を前記記憶手段に登録された複数の情報と比較して合致するものがあれば前記入力手段での選択を待つことなく合致するものに対応する前記取引処理を行うように構成にしたことにある。
【００１７】
本発明の第５の特徴は、カスタマイズ情報を格納したＩＣカードの読み取り書き込みを行う上下に配置された二つのＩＣカード読み書き手段と、前記ＩＣカードを前記ＩＣカードの読み書き手段の間に挿入する挿入口が一つの挿入手段と、複数の情報を登録した記憶手段と、前記記憶手段に登録された複数の情報から選択する入力手段と、前記ＩＣカード読み書き手段で読み取られたカスタマイズ情報及び前記入力手段で選択された情報に基づいて取引処理を行う制御手段とを備え、前記制御手段は、前記二つのＩＣカード読み書き手段の中の一方の特定されたＩＣカード読み書き手段で読み取られたカスタマイズ情報を前記入力手段で選択された情報より優先するように判断し、かつ前記特定されたＩＣカード読み書き手段で読み取られたカスタマイズ情報を受けた場合にはこのカスタマイズ情報を前記記憶手段に登録された複数の情報と比較して合致するものがあれば前記入力手段での選択を待つことなく合致するものに対応する前記取引処理を行うように構成にしたことにある。
【００１９】
本発明の第６の特徴は、決済手段を含むカスタマイズ情報を格納したＩＣカードの読み取り書き込みを行う複数のＩＣカード読み書き手段と、取引に関する指示を入力する入力手段と、前記ＩＣカード読み書き手段で読み取られたカスタマイズ情報に基づいて取引処理を行う制御手段とを備え、前記制御手段は、前記複数のＩＣカード読み書き手段毎に対となる決済手段を認識し、前記ＩＣカードが前記ＩＣカード読み書き手段の一つによって読み取られた場合にはこのＩＣカード読み書き手段に対となった決済手段に合致するものに対応する前記取引処理を行うように構成にしたことにある。
【００２０】
本発明の第７の特徴は、決済手段を含むカスタマイズ情報を格納したＩＣカードの読み取り書き込みを行うＩＣカード読み書き手段と、前記ＩＣカードを挿入する複数の挿入手段と、取引に関する指示を入力する入力手段と、前記ＩＣカード読み書き手段で読み取られたカスタマイズ情報に基づいて取引処理を行う制御手段とを備え、前記制御手段は、前記複数の挿入手段毎に対となる決済手段を認識し、前記ＩＣカードが前記挿入手段の一つによって挿入されて前記ＩＣカード読み書き手段で読み取られた場合にはこの挿入手段に対となった決済手段に合致するものに対応する前記取引処理を行うように構成にしたことにある。
【００２３】
本発明の第８の特徴は、決済手段を含むカスタマイズ情報を格納したＩＣカードの読み取り書き込みを行う複数のＩＣカード読み書き手段と、このＩＣカード読み書き手段に対になって前記ＩＣカードを挿入する複数の挿入手段と、取引に関する指示を入力する入力手段と、商取引に関する指示を表示する表示手段と、前記ＩＣカード読み書き手段で読み取られたカスタマイズ情報に基づいて決済処理を行う制御手段とを備え、前記制御手段は、前記複数の挿入手段毎に対となる決済手段を認識し、前記ＩＣカードが前記挿入手段の一つによって挿入されて前記ＩＣカード読み書き手段で読み取られた場合にはこの挿入手段に対となった決済手段に合致する前記決済処理を行うように構成にしたＰＯＳ端末にある。
【００２４】
本発明の第９の特徴は、残高情報を含む複数の決済手段のカスタマイズ情報を格納したＩＣカードの読み取り書き込みを行う複数のＩＣカード読み書き手段と、このＩＣカード読み書き手段に対になって前記ＩＣカードを挿入する複数の挿入手段と、前記ＩＣカード読み書き手段で読み取られたＩＣカードの残高情報を表示する表示手段と、前記ＩＣカード読み書き手段で読み取られたカスタマイズ情報に基づいて残高表示処理を行う制御手段とを備え、前記制御手段は、前記複数の挿入手段毎に対となる決済手段を認識し、前記ＩＣカードが前記挿入手段の一つによって挿入されて前記ＩＣカード読み書き手段で読み取られた場合にはこの挿入手段に対となった決済手段の前記残高表示処理を行うように構成した残高表示端末にある。
【００２７】
【発明の実施の形態】
以下、本発明の各実施例を図を用いて説明する。なお、各実施例の図における同一符号は同一物または相当物を示す。
【００２８】
まず、本発明の第１実施例を図１〜図５を用いて説明する。図１は本発明の第１実施例の自動販売機における取引システム構成図、図２は図１の取引システムを用いた自動販売機の正面図、図３は図１の自動販売機に用いるユーザー用のＩＣカードの構成図、図４は図１の自動販売機の動作を説明するフローチャート図、図５は図１の自動販売機の演算処理部におけるプログラム処理を説明するフローチャート図である。
【００２９】
図１及び図２を用いて、自動販売機及びこれに用いる取引システムの全体的な構成について説明する。
【００３０】
図１において、１は自動販売機、２は自動販売機を管理している店用のＩＣカード、３は金額情報を含む電子マネー情報記憶部、４はＩＤ番号記憶部、５は演算処理部、６は接続部、７はＩＣカード読み書き部、８は表示部、９は入力部、１０は演算処理部、１１はコイン機構制御部、１２は商品排出機構制御部、１３はＩＣカード読み書き部、１４はＩＣカード検出部、１５はユーザー用のＩＣカード、１６は接続部、１７は演算処理部、１８はＩＤ番号記憶部、１９は金額情報を含む電子マネー情報記憶部、２０はカスタマイズ情報記憶部、２４は売上げ履歴格納部、商品情報記憶部３９である。
【００３１】
また、図２において、１は自動販売機、８は金額情報などのメッセージを表示する表示部、９は商品を選択する入力部、９ａは商品名表示部、２５はＩＣカードの挿入手段を備える挿入口、２６は商品取り出し口である。
【００３２】
この第１実施例の自動販売機１は、ユーザー用の読み書き部１３及びＩＣカード挿入口２５が１つの例のものである。自動販売機１の内部には店用のＩＣカード２が格納される。店用のＩＣカード２は、その内部に設けられた接続部６が自動販売機内の店用の読み書き部７に接続され、この店用の読み書き部７を介して、店用のＩＣカード内の情報が演算処理部１０に供給されると共に、演算処理部１０の情報が店用のＩＣカード２に供給される。このように読み書き部７は、ＩＣカード２の情報の読み取り書き込みを行うものであり、店用のＩＣカード読み書き手段を構成する。店用のＩＣカード２は、その内部に、接続部６と、これに接続された演算処理部５と、これに接続された電子マネー情報記憶部３及び店用のＩＤ番号記憶部４とを有している。
【００３３】
一方、ユーザー用のＩＣカード１５は、その内部に設けられた接続部１６が自動販売機内のユーザー用の読み書き部１３に接続され、このユーザー用の読み書き部１３を介して、ユーザー用のＩＣカード内の情報が演算処理部１０に供給されると共に、演算処理部１０の情報がユーザー用のＩＣカード１５に供給される。このように読み書き部１３は、ＩＣカード１３の情報の読み取り書き込みを行うものであり、ユーザー用のＩＣカード読み書き手段を構成する。この場合、ユーザー用のＩＣカード１５が自動販売機１のＩＣカード挿入口２５に挿入すると、挿入手段によりＩＣカード１５をＩＣカード読み書き部１３に送り、ＩＣカード内の情報を読み取ると共に、カード検出部１４がＩＣカード１５の挿入を検出してその検出信号を演算処理部１０に送信する。ユーザー用のＩＣカード１５は、その内部に、接続部１６と、これに接続された演算処理部１７と、これに接続されたＩＤ番号記憶部１８、電子マネー情報記憶部１９及びカスタマイズ情報記憶部とを有している。なお、ＩＣカード挿入口２５は、自動販売機１の前面中央部に表示部８に隣接して配置される。
【００３４】
また、演算処理部１０は、店用の読み書き部７、表示部８、入力部９、コイン機構制御部１１、商品排出機構制御部１２、ユーザー用のＩＣカード読み書き部１３、カード検出部１４、売上げ履歴格納部２４、及び商品情報記憶部３９を接続している。演算処理表示部１０、コイン機構制御部１１、及び商品排出機構制御部１２により、自動販売機１の制御手段を構成する。表示部８は、自動販売機１の前面パネルの中央部に配置され、商取引に関する指示を表示する表示手段を構成する。入力部９は、自動販売機１の前面パネルの表示部８及びカード挿入口２５の直上に複数個押ボタンの形態で配置しており、入力手段を構成する。この押ボタン式の各入力部に対応して商品名表示部９ａが設けられている。ユーザーが希望の商品を選択する場合は、自動販売機１の前面パネルに取り付けられた入力部９の希望するものを押すことにより選択可能である。この場合、選択された商品の情報は、演算処理部１０に送られる。また、ユーザーへのガイダンス情報が、前面パネルに取り付けられた表示部８に送られて表示される。商品取り出し口２６は自動販売機１の前面パネルの下部に配置している。商品情報記憶部３９は、自動販売機１内に収納されている商品のバーコード情報と在庫商品の対応表が格納され、記憶手段を構成する。なお、この商品情報記憶部３９は演算処理部１０に内蔵してもよい。
【００３５】
ユーザーは、この自動販売機１において、コイン、紙幣、電子マネーにより決済可能であるが、コイン、紙幣の場合は、コイン機構制御部１１が決済処理を行う。なお、コイン、紙幣の投入口は、図２では省略してある。一方、電子マネーにより決済を行う場合は、演算処理部１０の制御により、店用カード２とユーザー用カード１５の間で決済処理が行われる。決済処理終了後にはユーザーの希望の商品が排出されるが、商品排出制御部１２により商品が排出されて、商品取り出し口２６からユーザーが商品を受け取ることができる。また、売り上げ履歴格納部２４には、どの商品がいくつ売れたかなどの情報が格納される。なお、コイン、紙幣、電子マネーを取り扱う自動販売機の例を前述したが、コインと紙幣のどちらか一方と電子マネー、あるいは電子マネーのみを取り扱う自動販売機でも構わない。
【００３６】
図３を用いて、ユーザー用ＩＣカード１５のカスタマイズ情報について説明する。
【００３７】
ユーザー用のＩＣカード１５に格納されるカスタマイズ情報記憶部２０は、図３(a)に示すように、登録商品名のデータが登録される。自動販売機１では、カスタマイズ情報記憶部２０の内容を読み取り、読み取った商品名を登録された商品名として扱うが、各自動販売機等でＩＣカード１５のカスタマイズ情報を読み取れるようにするためには、統一したフォーマットでＩＣカード１５にカスタマイズ情報を格納する必要がある。そこで、図３（ａ）に一例を示すように、取り扱う商品毎に各自動販売機等を分類し、代表的なアイテムを決め、ナンバーとアイテムの関係を共通化する。図３（ａ）の例では、Ｎｏ．１が飲料水、Ｎｏ．２がタバコ、Ｎｏ．３が電話、Ｎｏ．４が鉄道切符の場合である。
【００３８】
ユーザーは、ＩＣカード１５に各アイテム毎に希望の商品を登録することができるが、例えば、各商品のバーコードに記載されている番号を登録するようにすれば、商品名も共通したフォーマットで記載されるため、自動販売機がデータを読み取った際には、所属するナンバー（アイテム）の登録商品名を読み取り、読み取ったバーコード番号から希望の商品名を簡単に認識することができる。
【００３９】
また、ユーザーは、図３（ｂ）に示すように、各アイテムの中には複数の商品名を登録して、各商品に優先順位を付けることもできる。このようにすれば、その自動販売機が所属するアイテムの登録商品名を読み取り、優先順位の高いものから希望の商品として認識する。その結果、例えば、その自動販売機が優先順位１位の商品を取り扱っていない場合でも、優先順位２位の商品を扱っていれば、それを希望の商品として認識するようにすることができ、使い勝手を一層向上することができる。
【００４０】
さらに、ユーザー用のＩＣカードに、図３（ｃ）に示すように、アイテムと登録商品名の他にポイント値を格納し、例えば登録した商品を購入した場合に、購入毎にポイント値を自動的に加算すれば、使い勝手がより一層向上する。
【００４１】
図３には、アイテムとして電話番号や鉄道切符を格納した例も記載したが、これは、登録した番号を使って公衆電話でオートダイアルをしたり、登録した駅までの切符を自動的に購入する場合に用いる。例えば、鉄道切符の欄に自宅の最寄り駅のコードを登録することにより、外出先の駅から自宅までの運賃を券売機が計算して、必要な料金の切符を自動的に購入するようにできるため、使い勝手の良いものとすることができる。ここで、図３（ａ）では駅名としては時刻表などで扱っている駅名コードを用い、図３（ｂ）では２つの駅名コードを格納したが、例えば、午前中は優先順位１位のものを使用し、午後は優先順位２位のものを使用することにより、行きと帰りでそれぞれ異なる切符を購入するようにすることもできる。
【００４２】
なお、図３に示すユーザー用ＩＣカードは、本発明の第１実施例以外の後述する各実施例にも適用されるものである。
【００４３】
図４を用いて、本発明の第１実施例の自動販売機の具体的な動作について説明する。
【００４４】
処理が開始されると（１０１）、まず、自動販売機の表示部８に操作及びその優先順序を説明する“ＩＣカードを挿入して下さい。あるいは、商品を選択して下さい。先に操作された方が優先されます。”とのメッセージの表示処理が行われ（１０２）、表示部８にそのメッセージが表示され、入力部９の押ボタンの押下の有無を判断する（１０３）と共に、ユーザー用のＩＣカード１５のカード挿入有無を判断する（１１５）状態を維持する。ここで、ユーザーが希望の商品、例えば希望するドリンクの押ボタンを押した場合には、ＩＣカード１５の挿入を要求する“ＩＣカードを挿入して下さい”とのメッセージの表示処理が行われ（１０４）、表示部８にそれが表示され、ユーザー用のＩＣカード１５の挿入の有無を判断する（１０５）状態となる。ここで、ユーザーがＩＣカード１５を挿入口２５に挿入すると、“しばらくお待ち下さい。”とのメッセージの表示処理が行われ（１０６）、自動販売機内部での取引処理が始まる。
【００４５】
自動販売機内部での取引処理としては、まず、ユーザー用のＩＣカード１５における電子マネー情報の残高が読み取られ（１０７）、その後、希望の商品の金額と上記残高が比較される（１０８）。この比較により決済が可能な場合には、ユーザー用のＩＣカード１５から商品の金額分が差し引かれる決済処理が行われる（１０９）。そして、商品排出処理が行われ（１１０）、商品排出制御部１２よりユーザーが選んだ商品が排出されて、商品取り出し口２６からユーザーが希望する商品を受け取ることができる。次いで、自動販売機内の売上げ履歴格納部２４を更新する処理、例えば売上金額、売上げ日時等のログを更新する処理が行われる（１１１）。その後、ユーザー用のＩＣカード１５の排出処理が行われ（１１２）、ＩＣカード１５がカード挿入口２５より返却され、“ありがとうございました。”とのメッセージの表示処理が行われ（１１３）、自動販売機内部での取引処理が終了する（１１４）。一方、上記の希望の商品の金額と上記残高が比較された結果（１０８）、残高不足の場合は、残高不足で決済ができない旨を説明する“残高不足です。”とのメッセージの表示処理が行われ（１２０）、ユーザー用のＩＣカード１５の排出処理が行われる（１１２）。
【００４６】
また、前述したユーザー用のＩＣカード１５のカード挿入有無を判断している（１１５）状態において、入力部９の押ボタンによる商品の選択より先行して、ユーザーがＩＣカード１５を挿入した場合には、ユーザー用のＩＣカード１５におけるカスタマイズ情報記憶部２０内の情報の読み取り処理が行われる（１１６）。ここで、ＩＣカード１５のカスタマイズ情報記憶部２０に商品が登録されていて、なおかつこの登録された商品を自動販売機の商品情報記憶部３９が有しているか否かを判断する（１１７）。この判断条件を満足する場合には、入力手段９による商品の選択を待つことなく、すぐに自動販売機内部での取引処理に至り（１０６）、前述した取引処理を行った後に、処理を終了する（１１４）。前記判断処理を満足しない場合、即ち、ＩＣカード１５のカスタマイズ情報記憶部３９に商品が登録されていない場合、あるいは登録された商品の在庫が無い場合には、商品の選択を要求する“商品を選択して下さい”とのメッセージの表示処理が行われ（１１８）、表示部８にそれが表示され、入力部９の押ボタンの押下の有無を判断する状態となる（１１９）。ここで、ユーザーが入力部９の押ボタンを押した場合には、自動販売機内部での取引処理に至り（１０６）、取引処理を行った後に、処理を終了する（１１４）。
【００４７】
図５を用いて、本発明の第１実施例の自動販売機の演算処理部のプログラム処理について説明する。
【００４８】
処理が開始されると（５０１）、商品ボタンの押下があったか否か判断し（５０２）、否の場合にはカード挿入があったか否かを判断し（５０４）、これらの操作があるまでこの状態が維持される。ユーザーが始めに商品選択ボタンを押した場合には、演算処理部１０はＩＣカード１５の挿入があったか否か判断し（５０３）、ＩＣカード１５の挿入を待つ。ここで、ＩＣカード１５が挿入されると、演算処理部１０は電子マネーなどの決済プログラムを起動して決済処理を行う（５０６）。この決済処理が正常に終了すると（５０７）、その後で商品排出プログラムを起動して商品排出処理を行い（５０８）、ユーザーが選択ボタンで選んだ商品を商品取り出し口２６に排出して処理は終了する（５０９）。
【００４９】
一方、処理が開始された後にユーザーが始めにＩＣカード１５を挿入した場合には、演算処理部１０は商品登録プログラムを起動してＩＣカード１５に登録されている商品の識別を行う（５０５）。この場合、演算処理部１０は、商品のバーコード情報と在庫商品の対応表が格納された商品情報記憶部３９の対応表をもとに、どの商品を排出すればよいのかの判断を行う。なお、図５にはＩＣカード１５に商品が登録されていない場合の処理は記載していないが、その場合は、ユーザーに商品選択を要求して処理を続ける。次に、演算処理部１０は電子マネーなどの決済プログラムして起動して決済処理を行う（５０６）。決済処理が正常に終了すると（５０７）、その後で商品排出プログラムが起動して商品排出処理を行い（５０８）、ＩＣカード１５に登録されていた商品を商品取り出し口２６に排出して処理は終了する（５０９）。
【００５０】
このように、ユーザーが希望の商品を選択ボタン９より選択して購入したい場合は、まず始めに商品の選択ボタンを押し、その後、ユーザー用のＩＣカード１５を挿入することで購入可能となる。一方、あらかじめユーザー用のＩＣカード１５に登録してある商品を購入したい場合は、始めにＩＣカード１５を挿入することにより、選択ボタン９より商品の選択をしなくてもすぐにＩＣカード１５に登録された商品を購入することができる。
【００５１】
以上説明した本発明の第１実施例においては、ＩＣカード読み書き手段１３で読み取られたカスタマイズ情報及び入力手段９で選択された情報に基づいて取引処理を行う制御手段を備え、前記両情報の何れを優先するかを判断するようにしたことにより、ＩＣカード１５に格納されたカスタマイズ情報に基づく取引処理と入力手段９で選択された情報に基づく取引処理の何れか一方の処理を優先的に行うことができ、使い勝手が良好である。
【００５２】
また、制御手段がＩＣカード読み書き手段１３で読み取られたカスタマイズ情報を入力手段９で選択された情報より優先すると判断した場合には、このカスタマイズ情報を記憶手段３９に登録された複数の情報と比較して、合致するものがあれば入力手段９での選択を待つことなく、取引処理を行うようにしたことにより、ＩＣカード１５に格納されたカスタマイズ情報に基づく取引処理を優先して、簡単にかつ短時間に取引処理を完了させることができ、使い勝手が良好である。
【００５３】
さらには、入力手段９で選択された情報を受ける前にＩＣカード読み書き手段１３で読み取られたカスタマイズ情報を受けた場合にこのカスタマイズ情報を優先すると判断することにより、読み書き手段１３を複数備えることなく優先順序を判断することができ、より簡単な構成とすることができる。
【００５４】
また、判断手段で優先順序を判断する前に判断手段の優先順序に関する内容を表示手段に表示させることにより、ユーザーが希望する決済処理を容易にかつ確実に行うことができ、使い勝手が良好である。
【００５５】
次に、本発明の第２実施例を図６〜図８を用いて説明する。図６は本発明の第２実施例の自動販売機における取引システム構成図、図７は図６の自動販売機の正面図、図８は図６の自動販売機の動作を説明するフローチャート図である。なお、第２実施例における第１実施例と共通する部分の重複する説明は省略する。
【００５６】
図６及び図７に示すように、この第２実施例の自動販売機２１は、ユーザー用のＩＣカード１５の挿入手段を備える挿入口及び読み書き手段が複数設けられている点にて、前述した第１実施例の自動販売機１と相違している。即ち、この第２実施例における挿入口及び読み書き手段は、具体的には、二つの挿入口Ａ２７及び挿入口Ｂ２８、二つのＩＣカード読み書き部Ａ２２及びＩＣカード読み書き部Ｂ２３より構成されている。この二つの挿入口Ａ２７及び挿入口Ｂ２８は、自動販売機２１のフロントパネルの中央部に表示部８に隣接して並置されている。ユーザー用のＩＣカード１５内のカスタマイズ情報は、ＩＣカード読み書き部Ａ２２またはＩＣカード読み書き部２３から読み取られる。また、ＩＣカード検出部１４は、ＩＣカード挿入口Ａ２７または挿入口Ｂ２８にＩＣカード１５が挿入されたことを検出して演算処理部１０に挿入する。ＩＣカード挿入口Ｂ２８は、特定のＩＣカード挿入口であり、これにより挿入されて読み込まれた場合には入力部の選択より優先して読み込まれたカスタマイズ情報に基づいて処理が行われる。
【００５７】
図８を用いて、本発明の第２実施例の自動販売機２１の具体的な動作を説明する。
【００５８】
第２実施例の自動販売機２１の動作は、ＩＣカード１５が挿入される挿入口が特定の挿入口Ｂ２８であるか否かを判断して、ＩＣカード読み書き手段で読み取られたカスタマイズ情報を優先すべきか、入力手段９で選択された情報を優先べきか判断して、その対応する取引処理をする点にて第１実施例のものと相違する。即ち、処理が開始されると（２０１）、ＩＣカード１５の挿入を要求する“ ＩＣカードを挿入して下さい。”とのメッセージの表示処理が行われ（２０２）、表示部８にそれが表示され、ユーザー用のＩＣカード１５の挿入の有無を判断する（２０３）状態となる。ここで、ユーザーがＩＣカード１５を挿入すると、そのＩＣカード１５がＩＣカード挿入口Ａ２７に挿入されたか否かを判断する（２０４）。ＩＣカード挿入口Ａ２７にＩＣカード１５を挿入した場合には、商品の選択を要求する“商品を選択して下さい。”とのメッセージの表示処理が行われ（２０５）、表示部にそれが表示され、入力部９の押ボタンの押下の有無を判断する（２０６）状態となる。ここで、ユーザーが希望の商品を選択すると、“しばらくお待ち下さい。”とのメッセージの表示処理が行われ（２０７）、自動販売機内部での取引処理が始まる。
【００５９】
自動販売機内部での処理としては、まず、ユーザー用のＩＣカード１５における電子マネー情報の残高が読み取られ（２０８）、その後、希望の商品の金額と上記残高が比較される（２０９）。この比較により決済が可能な場合には、ユーザー用のＩＣカード１５から商品の金額分が差し引かれる決済処理が行われる（２１０）。そして、商品排出処理が行われ（２１１）、商品排出制御部１２により、ユーザーが選んだ商品が排出されて、商品取り出し口２６からユーザーが希望する商品を受け取ることができる。次いで、自動販売機内の売上げ履歴格納部２４を更新する処理が行われて、例えば売上金額、売上げ日時等のログを更新する処理が行われる（２１２）。その後、ユーザー用のＩＣカード１５の排出処理が行われ（２１３）、ＩＣカード１５がカード挿入口Ａ２７より返却され、“ありがとうございました。”とのメッセージの表示処理が行われ（２１４）、自動販売機内部での取引処理が終了する。一方、上記の希望の商品の金額と上記残高が比較された結果（２０９）、残高不足の場合は、残高不足で決済できない旨を表示する“残高不足です”とのメッセージの表示処理が行われ（２２０）、ユーザー用のＩＣカード１５の排出処理が行われて強制的に終了する。
【００６０】
また、前述したユーザー用のＩＣカード１５のカード挿入有無を判断している（２０３）状態において、ユーザーがＩＣカード挿入口Ｂ２８にＩＣカード１５を挿入した場合には、ユーザー用のＩＣカード１５におけるカスタマイズ情報記憶部２０内の情報の読み取り処理が行われる（２１６）。ここで、 ＩＣカード１５のカスタマイズ情報記憶部２０に商品が登録されていて、なおかつこの登録された商品を自動販売機の商品情報記憶部３９が有しているか否かを判断する（２１７）。この判断条件を満足する場合には、入力手段９による商品の選択を待つことなく、すぐに自動販売機内部での取引処理に至り（２０７）、前述した取引処理を行った後に、処理を終了する。前記判断処理を満足しない場合、即ち、ＩＣカード１５のカスタマイズ情報２０に商品が登録されていない場合、あるいは登録された商品の在庫が無い場合には、ユーザーに商品の選択を要求する“商品を選択して下さい”とのメッセージの表示処理が行われ（２１８）、表示部８にそれが表示され、入力部９の押ボタンの押下の有無を判断する状態となる（２１９）。ここで、ユーザーが入力部９の押ボタンを押した場合には、自動販売機内部での取引処理に至り（２０７）、取引処理を行った後に、処理を終了する（２１５）。
【００６１】
このように、ユーザーが希望の商品を選択ボタン９より選択して購入したい場合は、ＩＣカード挿入口ＡにＩＣカード１５を挿入し、その後、希望の商品の選択ボタン９を押すことで購入可能となる。一方、あらかじめユーザー用のＩＣカード１５に登録してある商品を購入したい場合は、特定されたＩＣカード挿入口ＢにＩＣカード１５を挿入することにより、選択ボタン９より商品の選択をしなくてもすぐに登録された商品を購入することができる。
【００６２】
なお、図６のようにＩＣカード挿入口Ａと挿入口Ｂの２つがある場合でも、図１に示すように１つのＩＣカード読み書き部としてデータの読み取り書き込みを行ってもよい。この場合は、カード検出部１４がどちらの挿入口からＩＣカードが挿入されたかを検出して、それにより処理を切り替えることにより、同様な取引処理を行うことができる。
【００６３】
以上説明した本発明の第２実施例においては、挿入手段２７，２８の中の特定の挿入手段２８によって挿入されてＩＣカード読み書き手段２３で読み取られたカスタマイズ情報を入力手段９で選択された情報より優先するように判断することにより、特定の挿入手段２８を選択してＩＣカード１５を読み取らせるという簡単な操作で、ＩＣカード１５のカスタマイズ情報に基づく取引処理を優先して行うことができ、使い勝手を良好なものとすることができる。
【００６４】
また、複数の挿入手段の中の特定の挿入手段により挿入されたＩＣカード１５をカード検出手段１４で検出してそのカスタマイズ情報を入力手段９で選択された情報より優先するように判断することにより、特定の挿入手段を選択してＩＣカード１５を挿入するという簡単な操作で、そのＩＣカード１５のカスタマイズ情報に基づく取引処理を優先して行うことができ、使い勝手を良好なものとすることができる。
【００６５】
さらには、特定の挿入手段以外の挿入手段で挿入されたＩＣカード１５のカスタマイズ情報を受けた場合には入力手段９で選択された情報に基づいて取引処理を行うようにしたことにより、特定の挿入手段以外の挿入手段にＩＣカード１５を挿入して希望する取引処理を行うことができ、使い勝手を良好なものとすることができる。
【００６６】
なお、本発明の第２実施例の本発明の第１実施例と共通する構成においては、本発明の第１実施例と同様な効果を奏するものである。
【００６７】
次に、本発明の第３実施例を図９及び図１０を用いて説明する。図９は本発明の第３実施例の自動販売機に用いる読み書き手段の断面概略図、図１０は本発明の第３実施例の自動販売機の動作を説明するフローチャート図である。なお、第３実施例の説明における第２実施例と共通する部分の重複する説明は省略する。
【００６８】
この第３実施例の自動販売機は、図９に示すように、ユーザー用のＩＣカード１５の挿入手段を備える挿入口２５が一つであり、複数、具体的には二つのＩＣカード１５の読み書き手段２２、２３が上下に対向して対に設けられている点にて第２実施例のものと相違している。即ち、ユーザー用のＩＣカード１５のコンタクト部を上側にして挿入した場合は、上側のＩＣカード読み書き部Ａ２２からＩＣカード内のカスタマイズ情報が読み取られ、また、コンタクト部を下側にしてＩＣカード１５を挿入した場合は、下側のＩＣカード読み書き部Ｂ２３からＩＣカード内のカスタマイズ情報が読み取られる。下側のＩＣカード読み書き部Ｂ２３は、特定のＩＣカード読み書き部であり、これにより読み込まれた場合には入力部の選択より優先して読み込まれたカスタマイズ情報に基づいて処理が行われる。なお、２９はＩＣカード読み書き部のケースである。
【００６９】
この第３実施例の自動販売機の動作は、図１０に示す通りであるが、ＩＣカード１５が特定のＩＣカード挿入口に挿入されたか否かを判断する代わりに、ＩＣカード１５が特定の読み書き部で読み取られたか否かを判断する点にて第２実施例のものと相違する。即ち、処理が開始されてＩＣカードが挿入されると、ＩＣカード１５が上側のＩＣカード読み書き部Ａ２２で読み込まれたか否かを判断し（２０４）、否の場合にはＩＣカード１５のカスタマイズ情報を読み取り（２１６）、これを特定の読み書き部である下側のＩＣカード読み書き部Ｂ２３で読み込まれたカスタマイズ情報として入力部９の商品選択より優先して処理する。
【００７０】
このように、ユーザーが希望の商品を選択して購入したい場合は、ＩＣカード挿入口２５にＩＣカード１５のコンタクト部を上側にして挿入し、その後、希望の商品の選択ボタンを押すことで購入可能となる。一方、あらかじめ登録してある商品を購入したい場合は、ＩＣカード挿入口２５にＩＣカード１５のコンタクト部を下側にして挿入することにより、選択ボタンによる商品の選択をしなくてもすぐに登録された商品を購入することができる。
【００７１】
以上説明した本発明の第３実施例においては、複数の読み書き手段２２、２３の中の特定された読み書き手段２３によって読み取られたカスタマイズ情報を入力手段９で選択された情報より優先するように判断することにより、特定された読み書き手段２３を選択してＩＣカード１５を読み取らせるという簡単な操作で、ＩＣカード１５のカスタマイズ情報に基づく取引処理を優先して行うことができ、使い勝手を良好なものとすることができる。
【００７２】
また、上下に配置された二つのＩＣカード読み書き手段２２、２３とその間にＩＣカード１５を挿入させる挿入口２５が一つの挿入手段と有し、二つのＩＣカード読み書き手段２２、２３の中の一方の特定されたＩＣカード読み書き手段２３で読み取られたカスタマイズ情報を入力手段９で選択された情報より優先するように判断することにより、簡単な構成で、そのＩＣカード１５のカスタマイズ情報に基づく取引処理を優先して行うことができ、使い勝手を良好なものとすることができる。
【００７３】
以上、ＩＣカードに格納されたカスタマイズデータを用いて自動販売機で商品を購入する実施例を説明したが、ここで、カスタマイズ情報記憶部２０へのカスタマイズ情報の登録方法を説明する。
【００７４】
ＩＣカード１５に希望の商品を登録する場合は、例えば、自動販売機に登録ボタンを設けて、ユーザーが登録ボタンを押してから商品ボタンを押すと、選択した商品が登録されるようにする。また、ユーザーが商品を選択して購入した場合は、毎回、その商品が登録されるようにしてもよい。一方、ユーザがパソコンや電子財布端末などを用いて、自分でカスタマイズ情報の登録をしてもよい。
【００７５】
次に、本発明の第４実施例を図１１〜図１３を用いて説明する。図１１は本発明の第４実施例のＰＯＳ端末における取引システム構成図、図１２は図１１のＰＯＳ端末の斜視図、図１３は図１１のＰＯＳ端末の動作を説明するフローチャート図である。
【００７６】
図１１及び図１２を用いて、ＰＯＳ端末及びこれに用いる取引システムの全体的な構成について説明する。
【００７７】
図１１において、４０はＰＯＳ端末、４１は店用のＩＣカード、４２は電子マネー情報記憶部、４３はＩＤ番号記憶部、４４は演算処理部、４５は接続部、４６は読み書き部、４７は表示部、４８は入力部、４９は制御手段を構成する演算処理部、５０は売り上げ履歴格納部、５１はＩＣカード読み書き部Ａ、５２はＩＣカード読み書き部Ｂ、５３はカード検出部である。
【００７８】
また、図１２において、４０はＰＯＳ端末、４７が表示部、４８が入力部、７１は挿入手段を備えたＩＣカード挿入口Ａ、７２は挿入手段を備えたＩＣカード挿入口Ｂである。
【００７９】
ＰＯＳ端末４０でＩＣカード１５を用いて行う決済手段としては、クレジット、電子マネー、デビットカード、店が独自に行うプレミアムポイントサービスなどが挙げられ。このように、ユーザが選択可能な決済手段が複数ある場合には、支払いの前にユーザーがＰＯＳ端末４０の入力部４８の選択ボタンを押して決済手段を選ぶか、あるいはユーザーが店員に決済手段を告げて、店員がＰＯＳ端末４０の機種を選ぶことにより決済手段を選択することが従来行われている。そこで、本発明の第４実施例では、ＰＯＳ端末４０のＩＣカード挿入口を例えばＩＣカード挿入口Ａ７１とＩＣカード挿入口Ｂ７２の２個設けて、例えば、挿入口Ａ７１にＩＣカード１５を入れた場合は、電子マネーによる支払いとなり、挿入口Ｂ７２に入れた場合は、クレジットでの支払いというように挿入位置、即ちそれに対になっている挿入手段または読み書き手段毎に決済手段を認識するように処理を行う。その結果、カードの挿入位置で決済手段の選択ができるため、従来に比べて操作を簡略化することが可能である。
【００８０】
図１３を用いて、本発明の第４実施例のＰＯＳ端末の具体的な動作について説明する。
【００８１】
処理が開始されると（４０１）、例えば店員が金額を入力し、その金額が表示部４７に表示され（４０２）、 ＩＣカード１５の挿入を要求する“ ＩＣカードを挿入して下さい。”とのメッセージの表示処理が行われ（４０３）、表示部４７にそれが表示され、ユーザー用のＩＣカード１５の挿入の有無を判断する（４０４）状態となる。ここで、ユーザーがＩＣカード１５で支払いをする場合は、ＩＣカード挿入口Ａ７１または挿入口Ｂ７２のいずれかにカードを挿入すると、そのＩＣカード１５がＩＣカード挿入口Ａ７１に挿入されたか否かを判断する（４０５）。挿入口Ａ７１にＩＣカード１５を挿入した場合には、その挿入口Ａ７１に対となっている挿入手段または読み書き手段Ａに設定した決済手段、この実施例では電子マネーを処理すべき決済手段と認識し、“しばらくお待ち下さい。”とのメッセージの表示処理が行われ（４０６）、ユーザー用のＩＣカード内の残高が読み取られた後（４０７）、認識した決済手段に合致する決済処理が行われる。即ち、読み取った残高で決済可能か否かを判断し（４０８）、決済可能な場合にはユーザー用のＩＣカード１５と店用のＩＣカード４１との間で電子マネーによる決済処理が行われる（４１０）。その後、売り上げ履歴が更新された後に（４１１）、ＩＣカード１５が排出され（４１２）、処理が終了する（４１４）。また、残高不足で決済ができない場合には、残高不足の旨が表示された後に（４０９）、ＩＣカードが排出されて（４１２）、処理が強制的に終了する（４１４）。
【００８２】
一方、挿入口Ｂ７２にＩＣカード１５を挿入した場合には、その挿入口Ｂ７２に対となっている挿入手段または読み書き手段Ｂに設定した決済手段、この実施例ではクレジットを処理すべき決済手段と認識し、この認識した決済手段に合致する決済処理が行われる。即ち、暗証番号の入力が要求され（４１５）、暗証番号を入れると（４１６）、ＩＣカード内に登録された暗証番号が読み取られて（４１８）、登録された値と一致した場合は（４１９）、クレジットによる決済処理が行われる（４１０）。また、一致しない場合は、暗証番号不一致の旨が表示された後に（４２０）、ＩＣカード１５が排出されて（４１２）、処理が終了する（４１４）。
【００８３】
このように、ＩＣカード１５の挿入位置により決済手段、つまり決済のアプリケーションを認識して処理することが可能である。
【００８４】
以上説明した本発明の第４実施例においては、複数のＩＣカード読み書き手段５１、５２毎に対となる決済手段を認識し、ＩＣカード１５がＩＣカード読み書き手段５１、５２の一つによって読み取られた場合には、このＩＣカード読み書き手段５１、５２に対となった決済手段に合致する取引処理を行うようにしたことにより、簡単な操作で決済処理を行うことができ、使い勝手を良好なものとすることができる。
【００８５】
また、複数の挿入手段毎に対となる決済手段を認識し、ＩＣカード１５が挿入手段の一つによって挿入されてＩＣカード読み書き手段５１、５２で読み取られた場合には、この挿入手段に対となった決済手段に合致する取引処理を行うようにしたことにより、簡単な操作で決済処理を行うことができ、使い勝手を良好なものとすることができる。
【００８６】
次に、本発明の第５実施例を図１４を用いて説明する。図１４は本発明の第５実施例の残高表示端末の平面図である。なお、第５実施例における第４実施例と共通する部分の重複する説明は省略する。
【００８７】
図１４において、５４はユーザー用のＩＣカード、５５は残高表示端末、５６は表示部、５７は入力部である。この残高表示端末５５は、決済処理を行わずに、単に残高や取引履歴を読み出して表示する処理を行うものであるが、前述の第４実施例のものと同様に、挿入位置で決済のアプリケーションを認識することができる。即ち、Ａ側から入れた場合は、電子マネーの残高が読み取られて表示されるが、Ｂ側から入れた場合はポイント値（ロイヤリティアプリケーション）が読み取られて表示される。
【００８８】
次に、本発明の第６実施例を図１５を用いて説明する。図１５は本発明の第６実施例の自動販売機の正面図である。なお、第６実施例における第１実施例と共通する部分の重複する説明は省略する。
【００８９】
この第６実施例の自動販売機５８は、複数の決裁手段にて取引処理が可能であり、ユーザー用のＩＣカード１５の挿入手段を備える挿入口５９〜６２が３以上の複数設けられ、それぞれの挿入口５９〜６２毎に異なる決済アプリケーションが選択される点にて、前述した第１実施例の自動販売機１と相違する。即ち、この挿入口５９〜６２は、例えば、挿入口Ａ５９にＩＣカード１５を入れた場合は電子マネーＡでの決済、挿入口Ｂ６０に入れた場合は電子マネーＢでの決済、挿入口Ｃ６１に入れた場合はクレジットでの決済、挿入口Ｄ６２に入れた場合はポイントサービスでの決済というようにそれぞれの挿入口毎に異なる決済アプリケーションが選択される。このように構成することによって、ユーザーが決済手段を選択ボタンで選択することなく、希望する決済手段の挿入口にＩＣカード１５を挿入するという簡単な操作で決済手段を選択することができ、使い勝手が良好である。
【００９０】
なお、この第６実施例の場合も第１実施例のものと同様に、ＩＣカード１５の挿入手順で、ＩＣカード内に登録された商品を選ぶか、商品の選択ボタンにより選択した商品を選ぶかの切替えを行うことは可能である。即ち、ユーザーが商品の選択ボタンを押してからＩＣカード１５を挿入した場合は、ＩＣカード１５を挿入した挿入口５９〜６２に対応した決済手段で決済が行われてから、選択した商品が排出されるが、ユーザーが始めにＩＣカード１５を挿入した場合は、ＩＣカード１５を挿入した挿入口５９〜６２に対応した決済手段で決済が行われて、その後、ＩＣカード内に登録された商品が排出される。
【００９１】
また、同様なことは公衆電話機にも応用することができる。この場合は、例えば、挿入口Ａにカードを入れると相手の番号を自由にダイアルすることができるが、挿入口Ｂに入れると、あらかじめ登録された番号に自動的にかかる（オートダイアル）ようにすることができる。
【００９２】
さらに、ＩＣカードとＭＤなどの記録媒体とを用いたシステムでも対応可能であり、例えば、電子書籍システムでの端末への応用が考えられる。この場合、ＩＣカードには毎週購読する雑誌データの名称が格納されており、端末にＩＣカードと記録媒体を入れると、自動的にＩＣカードに登録された雑誌に関する最新データを記録媒体にダウンロードすることができる。同様にＩＣカードに登録されたアーティストの音楽データを自動的にダウンロードすることも可能である。
【００９３】
このように、本発明はＩＣカードを使用した様々な端末で応用可能であり、上記で記載した自動販売機、ＰＯＳ端末以外の機器においても、ＩＣカードの挿入方法により処理の切り替えを容易に行うことができる。
【００９４】
【発明の効果】
本発明によれば、ＩＣカードに格納されたカスタマイズ情報に基づく取引処理と入力手段で選択された情報に基づく取引処理の何れか一方の処理を優先的に行うことができると共に、 ＩＣカードに格納されたカスタマイズ情報に基づく取引処理を入力手段の選択を待つことなく、簡単にかつ短時間に取引処理を完了させることができ、使い勝手が良好な電子取引システムとこれを用いる機器及びこれに用いるＩＣカードを提供することができる。
【００９５】
また、ＩＣカードの読み取りと対になって決済手段を認識し、この認識した決済手段に合致する取引処理を行うようにしたことにより、簡単な操作で取引処理を行うことができ、使い勝手を良好な電子取引システムとこれを用いる機器及びこれに用いるＩＣカードを提供することができる。
【図面の簡単な説明】
【図１】本発明の第１実施例の自動販売機における取引システム構成図である。
【図２】図１の取引システムを用いた自動販売機の正面図である。
【図３】図１の自動販売機に用いるユーザー用のＩＣカードの構成図である。
【図４】図１の自動販売機の動作を説明するフローチャート図である。
【図５】図１の自動販売機の演算処理部におけるプログラム処理を説明するフローチャート図である。
【図６】本発明の第２実施例の自動販売機における取引システム構成図である。
【図７】図６の自動販売機の正面図である。
【図８】図６の自動販売機の動作を説明するフローチャート図である。
【図９】本発明の第３実施例の自動販売機に用いる読み書き手段の断面概略図である。
【図１０】本発明の第３実施例の自動販売機の動作を説明するフローチャート図例である。
【図１１】図１１は本発明の第４実施例のＰＯＳ端末における取引システム構成図である。
【図１２】図１１のＰＯＳ端末の斜視図である。
【図１３】図１１のＰＯＳ端末の動作を説明するフローチャート図である。
【図１４】本発明の第５実施例の残高表示端末の平面図である。
【図１５】本発明の第６実施例の自動販売機の正面図である。
【符号の説明】
１…自動販売機、２…店用のＩＣカード、３…電子マネー情報記憶部、４…ＩＤ番号記憶部、５…演算処理部、６…接続部、７…ＩＣカード読み書き部、８…表示部、９…入力部、１０…演算処理部、１１…コイン機構制御部、１２…商品排出機構制御部、１３…ＩＣカード読み書き部、１４…ＩＣカード検出部、１５…ユーザー用のＩＣカード、１６…接続部、１７…演算処理部、１８…ＩＤ番号記憶部、１９…電子マネー情報記憶部、２０…カスタマイズ情報記憶部、２１…自動販売機、２２…ＩＣカード読み書き部Ａ、２３…ＩＣカード読み書き部Ｂ、２４…売上げ履歴格納部、２５…ＩＣカード挿入口、２６…商品取り出し口、２７…ＩＣカード挿入口Ａ、２８…ＩＣカード挿入口Ｂ、２９…ＩＣカード読み書き部のケース、４０…ＰＯＳ端末、４１…店用のＩＣカード、４２…電子マネー情報記憶部、４３…ＩＤ番号記憶部、４４…演算処理部、４５…接続部、４６…読み書き部、４７…表示部、４８…入力部、４９…演算処理部、５０…売り上げ金額格納部、５１…ＩＣカード読み書き部Ａ、５２…ＩＣカード読み書き部Ｂ、５３…カード検出部、５４…ユーザー用のＩＣカード、５５…残高表示器、５６…表示部、５７…入力部、５８…自動販売機、５９〜６２…ＩＣカード挿入口。
【図１】
0003936497.tif 000002
【図２】
0003936497.tif 000003
【図３】
0003936497.tif 000004
【図４】
0003936497.tif 000005
【図５】
0003936497.tif 000006
【図６】
0003936497.tif 000007
【図７】
0003936497.tif 000008
【図８】
0003936497.tif 000009
【図９】
0003936497.tif 000010
【図１０】
0003936497.tif 000011
【図１１】
0003936497.tif 000012
【図１２】
0003936497.tif 000013
【図１３】
0003936497.tif 000014
【図１４】
0003936497.tif 000015
【図１５】
0003936497.tif 000016